(57)【特許請求の範囲】
【請求項１】
遊技機島であって、
遊技機の下方に、前記遊技機の前面側の前記遊技機島の一方の側から前記遊技機島の他方の側まで延びる足入れ空間が形成され、
前記足入れ空間は、前記足入れ空間の前面側から背面側に向かって、床面に対する角度が互いに異なる棒状の複数の脚部によって形成され、
複数の前記遊技機が、背中合わせで２列に配置され、
前記遊技機島の一方の側の隣接する前記遊技機同士の間に、前記遊技機島の他方の側の前記遊技機が位置し、
前記足入れ空間は、前記遊技機島の両側の前記遊技機の下方にそれぞれ形成され、
前記脚部には仕切り板が固定されて、隣り合う前記足入れ空間同士が、前記仕切り板によって仕切られ、
前記脚部は、一対の前記仕切り板によって挟み込まれることを特徴とする遊技機島。
【請求項２】
前記仕切り板同士の間に、前記遊技機からの遊技媒体を床下に流す管体が配置されることを特徴とする請求項１記載の遊技機島。
【請求項３】
遊技機島であって、
遊技機の下方に、前記遊技機の前面側の前記遊技機島の一方の側から前記遊技機島の他方の側まで延びる足入れ空間が形成され、
前記足入れ空間は、前記足入れ空間の前面側から背面側に向かって、床面に対する角度が互いに異なる棒状の複数の脚部によって形成され、
前記遊技機の前面側から見て、前記足入れ空間を形成する左右の前記脚部が、前記脚部の上部に略水平に配置される板状の支持部に接合され、
前記支持部上には、隣り合う前記支持部同士をつなぐ梁部が設けられ、
前記遊技機が設置される遊技機設置部は、前記梁部の上方に固定されることを特徴とする遊技機島。
【請求項４】
前記遊技機島のそれぞれの側の前記梁部同士が、前記足入れ空間の上部を塞ぐ板部材で互いに接合されることを特徴とする請求項３記載の遊技機島。
【請求項５】
複数の遊技機からなる遊技機島であって、
複数の前記遊技機が、背中合わせで２列に配置され、
前記遊技機島の一方の側の隣接する前記遊技機同士の間に、前記遊技機島の他方の側の前記遊技機が位置し、
前記遊技機の下方に、前記遊技機の前面側の前記遊技機島の一方の側から前記遊技機島の他方の側まで延びる足入れ空間が形成され、前記足入れ空間は、棒状の複数の脚部によって形成され、
前記遊技機島のそれぞれの側において、前記足入れ部の上部に略水平に配置される板状の支持部と、
前記遊技機島の上部構造を支持する柱と、
を具備し、
前記遊技機島の一方の側の前記柱同士の間に、前記遊技機島の他方の側の前記柱が位置し、
前記柱の下端近傍が、前記支持部に固定されることを特徴とする遊技機島。
【請求項６】
遊技機島であって、
複数の遊技機が、背中合わせで２列に配置され、
前記遊技機の下方に、前記遊技機の前面側の前記遊技機島の一方の側から前記遊技機島の他方の側まで延びる足入れ空間が形成され、
前記足入れ空間は、前記足入れ空間の前面側から背面側に向かって、床面に対する角度が変わるように配置された仕切り板によって仕切られて形成され、
前記足入れ空間は、前記足入れ空間の前面側で、前記遊技機の下方にそれぞれ形成され、
前記足入れ空間は、前記足入れ空間の前面側において、下方の幅より上方の幅の方が広くなるように形成されていることを特徴とする遊技機島。
【請求項７】
前記足入れ空間は、前記足入れ空間の前面側から背面側に向かって、床面に対する角度が互いに異なる棒状の複数の脚部に前記仕切り板が固定され、前記脚部が一対の前記仕切り板によって挟み込まれることによって形成されることを特徴とする請求項６記載の遊技機島。
【請求項８】
机であって、
着座席が、背中合わせで２列に配置され、
前記机の一方の側の隣接する前記着座席同士の間に、前記机の他方の側の前記着座席が位置し、
天板の下方に、前記机の一方の側から前記机の他方の側まで延びる足入れ空間が、前記机の両側の前記着座席にそれぞれ形成され、
前記足入れ空間は、前記足入れ空間の前面側から背面側に向かって、床面に対する角度が互いに異なる棒状の複数の脚部によって形成され、
前記脚部には仕切り板が固定されて、隣り合う前記足入れ空間同士が、前記仕切り板によって仕切られ、
前記脚部は、一対の前記仕切り板によって挟み込まれることを特徴とする机。
【請求項９】
机であって、
着座席が、背中合わせで２列に配置され、
前記机の一方の側の隣接する前記着座席同士の間に、前記机の他方の側の前記着座席が位置し、
天板の下方に、前記机の一方の側から前記机の他方の側まで延びる足入れ空間が、前記机の両側の前記着座席にそれぞれ形成され、
前記足入れ空間は、前記足入れ空間の前面側から背面側に向かって、床面に対する角度が互いに異なる棒状の複数の脚部によって形成され、
前記天板の上には、隣り合う前記着座席同士および対向するそれぞれの前記着座席同士を仕切る仕切り板が配置され、
前記脚部には仕切り板が固定されて、隣り合う前記足入れ空間同士が、前記仕切り板によって仕切られ、
前記脚部は、一対の前記仕切り板によって挟み込まれることを特徴とする机。
【請求項１０】
机であって、
着座席を向かい合わせに２列配置し、
前記机の一方の側の隣接する前記着座席同士の間に、前記机の他方の側の前記着座席が位置し、
天板の下方に、前記机の一方の側から前記机の他方の側まで延びる足入れ空間が、前記机の両側の前記着座席にそれぞれ形成され、
前記足入れ空間は、前記足入れ空間の前面側から背面側に向かって、床面に対する角度が変わるように配置された仕切り板によって仕切られて形成され、
前記足入れ空間は、前記足入れ空間の前面側において、下方の幅より上方の幅の方が広くなるように形成されていることを特徴とする机。
【請求項１１】
前記足入れ空間は、前記足入れ空間の前面側から背面側に向かって、床面に対する角度が互いに異なる棒状の複数の脚部に前記仕切り板が固定され、前記脚部が一対の前記仕切り板によって挟み込まれることによって形成されることを特徴とする請求項１０記載の机。
【発明の詳細な説明】
【技術分野】
【０００１】
本発明は、例えば遊技場における遊技機島や、机に関するものである。
【背景技術】
【０００２】
パチンコ機やパチスロ機などの遊技機が複数配設された遊技機島では、従来、複数の遊技機が背中合わせで２列に配設されている(例えば、特許文献1参照。)。
【先行技術文献】
【特許文献】
【０００３】
【特許文献１】特開２０１３−１５８５１４号公報
【発明の概要】
【発明が解決しようとする課題】
【０００４】
例えば、複数人が利用可能な机などのように、互いに対面するように利用者が着座する場合がある。この際、机の対向面に利用者が同じ位置に対向するように着座するのが通常である。
【０００５】
また、従来の遊技機島では、遊技機が背中を向き合わせて２列に配設される際、背中合わせで対向する遊技機の背面同士が重なるように配設されている。したがって、遊技機島の両サイドには、ちょうど同じ位置に対向するように遊技者が位置することとなる。
【０００６】
通常、遊技機の下部には、遊技者の足を入れる空間が形成される。しかし、前述した互いに対向する位置の遊技者の足同士が干渉しないように、遊技機島の下方には両側の足入れ空間の仕切りが設けられる。すなわち、遊技機島の両サイドの列間を区切るための仕切りが配置され、遊技者は、仕切りまでの空間に足を入れることが可能となる。このようにすることで、遊技者同士の足がぶつかり合うことがない。
【０００７】
しかし、従来の遊技機島では、列間に仕切板が配設されているため、遊技者が占有できるパーソナル空聞が狭い。すなわち、遊技機島の列と列との間に仕切板が配設されているため、遊技者は足を伸ばすことができず、パーソナル空間が狭かった。この結果、リラックスした状態で遊技を行うことが困難であった。
【０００８】
一方遊技機の前面から仕切板までの奥行長を長くすると、遊技者は足を伸ばすことができるが、遊技機の列間の距離が長くなり、遊技機島の設置スペースが大きくなってしまうという問題があった。
【０００９】
また、遊技機島上部構造を支持するためには、遊技機島下部構造には所定以上の剛性が必要である。したがって、足入れ空間を確保するための構造には、所定以上の強度が必要である。しかし、広い足入れ空間を形成するためには複雑な形状の部材が必要となる場合があり、このような場合に、所定以上の強度を確保しようとすると、設計が難しく、製造も容易ではなくなる恐れがある。
【００１０】
本発明は、このような問題に鑑みてなされたもので、利用者が足を伸ばすことができ、設計の自由度も高い遊技機島および机の下部構造等を提供することを目的とする。
【課題を解決するための手段】
【００１１】
前述した目的を達するために第１の発明は、遊技機島であって、遊技機の下方に、前記遊技機の前面側の前記遊技機島の一方の側から前記遊技機島の他方の側まで延びる足入れ空間が形成され、前記足入れ空間は、前記足入れ空間の前面側から背面側に向かって、床面に対する角度が互いに異なる棒状の複数の脚部によって形成され、複数の前記遊技機が、背中合わせで２列に配置され、前記遊技機島の一方の側の隣接する前記遊技機同士の間に、前記遊技機島の他方の側の前記遊技機が位置し、前記足入れ空間は、前記遊技機島の両側の前記遊技機の下方にそれぞれ形成され、前記脚部には仕切り板が固定されて、隣り合う前記足入れ空間同士が、前記仕切り板によって仕切られ、前記脚部は、一対の前記仕切り板によって挟み込まれることを特徴とする遊技機島である。
【００１５】
前記仕切り板同士の間に、前記遊技機からの遊技媒体を床下に流す管体が配置されてもよい。
【００１６】
第２の発明は、遊技機島であって、遊技機の下方に、前記遊技機の前面側の前記遊技機島の一方の側から前記遊技機島の他方の側まで延びる足入れ空間が形成され、前記足入れ空間は、前記足入れ空間の前面側から背面側に向かって、床面に対する角度が互いに異なる棒状の複数の脚部によって形成され、前記遊技機の前面側から見て、前記足入れ空間を形成する左右の前記脚部が、前記脚部の上部に略水平に配置される板状の支持部に接合され、前記支持部上には、隣り合う前記支持部同士をつなぐ梁部が設けられ、前記遊技機が設置される遊技機設置部は、前記梁部の上方に固定されることを特徴とする遊技機島である。
【００１７】
前記遊技機島のそれぞれの側の前記梁部同士が、前記足入れ空間の上部を塞ぐ板部材で互いに接合されてもよい。
【００１８】
第１または第２の発明によれば、遊技機の前面側の遊技機島の一方の側から遊技機島の他方の側まで延びる足入れ空間が形成されるため、遊技者は足を伸ばすことができ、リラックスした状態で遊技を行うことが可能となる。また、複数の脚部を互いに角度を変えて配置することで、足入れ空間が形成されるため、複雑な形状であっても、脚部の角度を適切に設定すればよいため、部材の設計および製造が容易である。
【００１９】
また、遊技機が背中合わせで２列に配置され、遊技機島の一方の側の隣接する遊技機同士の間に、遊技機島の他方の側の遊技機が位置すれば、遊技機の列間の距離を長くすることなく、足入れ空問の奥行を長くすることができる。すなわち、対向する遊技機が互いにずれて千鳥状に配置されれば、両側からの足入れ空間を互いにずれた千鳥状に配置することができる。
【００２０】
また、さらに、足入れ空間同士を仕切る仕切り板を設けることで、隣り合う足入れ空間を確実に仕切り、隣り合う足入れ空間内の足が触れ合うことがない。
【００２１】
また、さらに、足入れ空間同士を仕切る仕切り板を設けることで、隣り合う足入れ空間を確実に仕切り、隣り合う足入れ空間内の足が触れ合うことがない。この際、仕切り板は、単に空間を仕切るのみでよく、上部構造を支持する必要がないため、製造も容易である。
【００２２】
この場合、一対の仕切り板によって脚部を挟み込むようにすることで、隣り合う足入れ空間の両面に仕切り板を配置することができる。
【００２３】
さらに、一対の仕切り板の間に、遊技媒体が流下する管体を配置することで、遊技媒体を床下へ流すことができる。この際、管体が足入れ空間に露出することがない。
【００２４】
また、遊技機島のそれぞれの側において、脚部の上部に略水平に配置される板状の支持部と、支持部上に配置され、隣り合う前記支持部同士をつなぐ梁部とを設けることで、それぞれの支持部同士が連結されて、十分な剛性を得ることができる。
【００２５】
さらに、遊技機島のそれぞれの側の梁部同士が、足入れ空間の上部を塞ぐ板部材で互いに接合されれば、上方に重量のある遊技機を設置した際に、梁が倒れる方向に変形することを抑制することができるとともに、足入れ空間の上方を塞ぐことができる。
【００２６】
第３の発明は、複数の遊技機からなる遊技機島であって、複数の前記遊技機が、背中合わせで２列に配置され、前記遊技機島の一方の側の隣接する前記遊技機同士の間に、前記遊技機島の他方の側の前記遊技機が位置し、遊技機の下方に、前記遊技機の前面側の前記遊技機島の一方の側から前記遊技機島の他方の側まで延びる足入れ空間が形成され、前記足入れ空間は、棒状の複数の脚部によって形成され、前記遊技機島のそれぞれの側において、前記足入れ部の上部に略水平に配置される板状の支持部と、前記遊技機島の上部構造を支持する柱と、を具備し、前記遊技機島の一方の側の前記柱同士の間に、前記遊技機島の他方の側の前記柱が位置し、前記柱の下端近傍が、前記支持部に固定されることを特徴とする遊技機島である。
【００２７】
第３の発明によれば、遊技機の列間の距離を長くすることなく遊技者が足を伸ばすことができる。また、足入れ空間を容易に形成することができる。
第４の発明は、遊技機島であって、複数の遊技機が、背中合わせで２列に配置され、前記遊技機の下方に、前記遊技機の前面側の前記遊技機島の一方の側から前記遊技機島の他方の側まで延びる足入れ空間が形成され、前記足入れ空間は、前記足入れ空間の前面側から背面側に向かって、床面に対する角度が変わるように配置された仕切り板によって仕切られて形成され、前記足入れ空間は、前記足入れ空間の前面側で、前記遊技機の下方にそれぞれ形成され、前記足入れ空間は、前記足入れ空間の前面側において、下方の幅より上方の幅の方が広くなるように形成されていることを特徴とする遊技機島である。
また、前記足入れ空間は、前記足入れ空間の前面側から背面側に向かって、床面に対する角度が互いに異なる棒状の複数の脚部に前記仕切り板が固定され、前記脚部が一対の前記仕切り板によって挟み込まれることによって形成されてもよい。
【００２８】
第５の発明は、机であって、着座席が、背中合わせで２列に配置され、前記机の一方の側の隣接する前記着座席同士の間に、前記机の他方の側の前記着座席が位置し、天板の下方に、前記机の一方の側から前記机の他方の側まで延びる足入れ空間が、前記机の両側の前記着座席にそれぞれ形成され、前記足入れ空間は、前記足入れ空間の前面側から背面側に向かって、床面に対する角度が互いに異なる棒状の複数の脚部によって形成され、前記脚部には仕切り板が固定されて、隣り合う前記足入れ空間同士が、前記仕切り板によって仕切られ、前記脚部は、一対の前記仕切り板によって挟み込まれることを特徴とする机である。
【００３０】
第５の発明によれば、机の一方の側から他方の側まで延びる足入れ空間が形成されるため、机に着座する者が足を伸ばすことができ、リラックスした状態で着座することが可能となる。また、複数の脚部を互いに角度を変えて配置することで、足入れ空間が形成されるため、複雑な形状であっても、脚部の角度を適切に設定すればよいため、部材の設計および製造が容易である。
【００３１】
また、さらに、足入れ空間同士を仕切る仕切り板を設けることで、隣り合う足入れ空間を確実に仕切り、隣り合う足入れ空間内の足が触れ合うことがない。この際、仕切り板は、単に空間を仕切るのみでよく、上部構造を支持する必要がないため、製造も容易である。
【００３２】
第６の発明は、机であって、着座席が、背中合わせで２列に配置され、前記机の一方の側の隣接する前記着座席同士の間に、前記机の他方の側の前記着座席が位置し、天板の下方に、前記机の一方の側から前記机の他方の側まで延びる足入れ空間が、前記机の両側の前記着座席にそれぞれ形成され、前記足入れ空間は、前記足入れ空間の前面側から背面側に向かって、床面に対する角度が互いに異なる棒状の複数の脚部によって形成され、前記天板の上には、隣り合う前記着座席同士および対向するそれぞれの前記着座席同士を仕切る仕切り板が配置され、前記脚部には仕切り板が固定されて、隣り合う前記足入れ空間同士が、前記仕切り板によって仕切られ、前記脚部は、一対の前記仕切り板によって挟み込まれることを特徴とする机である。
【００３３】
第６の発明によれば、机を利用するそれぞれの着座者が、互いにプライベート空間として利用することができる。この際、机に着座する者が足を伸ばすことができ、リラックスした状態で着座することが可能となる。また、複数の脚部を互いに角度を変えて配置することで、足入れ空間が形成されるため、複雑な形状であっても、脚部の角度を適切に設定すればよいため、部材の設計および製造が容易である。
第７の発明は、机であって、着座席を向かい合わせに２列配置し、前記机の一方の側の隣接する前記着座席同士の間に、前記机の他方の側の前記着座席が位置し、天板の下方に、前記机の一方の側から前記机の他方の側まで延びる足入れ空間が、前記机の両側の前記着座席にそれぞれ形成され、前記足入れ空間は、前記足入れ空間の前面側から背面側に向かって、床面に対する角度が変わるように配置された仕切り板によって仕切られて形成され、前記足入れ空間は、前記足入れ空間の前面側において、下方の幅より上方の幅の方が広くなるように形成されていることを特徴とする机である。
また、前記足入れ空間は、前記足入れ空間の前面側から背面側に向かって、床面に対する角度が互いに異なる棒状の複数の脚部に前記仕切り板が固定され、前記脚部が一対の前記仕切り板によって挟み込まれることによって形成されてもよい。
【発明の効果】
【００３４】
本発明によれば、利用者が足を伸ばすことができ、設計の自由度も高い遊技機島および机の下部構造等を提供することができる。
【図面の簡単な説明】
【００３５】
【図１】遊技機島１を示す概略斜視図。
【図２】遊技機島１を示す正面図。
【図３】遊技機島１を示す平面図。
【図４】遊技機島１の縦方向断面図。
【図５】遊技機島１を示す底面図。
【図６】遊技機島下部構造５の上端部近傍の断面図。
【図７】遊技機島下部構造５の構造を示す図。
【図８】遊技機島下部構造５の構造を示す図。
【図９】遊技機島下部構造５の構造を示す図。
【図１０】遊技機島１ａを示す概略斜視図。
【図１１】遊技機島下部構造５ａの構造を示す図。
【図１２】仕切り板９の構造を示す図。
【図１３】机４０の構造を示す斜視図。
【発明を実施するための形態】
【００３６】
以下、図面を参照しながら、本発明の第１の実施形態について説明する。図１は、遊技機島１を示す概略斜視図であり、図２は正面図、図３は平面図である。遊技機島１には、複数の遊技機３が併設される。本発明における遊技機島１は、パチンコ島であってもよく、スロット島であってもよい。各遊技機３の正面には図示を省略した椅子が配置される。
【００３７】
また、遊技機３の上方には、遊技球などの遊技媒体を搬送する搬送路(図示せず)が配設され、各遊技機３へ遊技媒体が供給される。また、遊技機島１は、たとえば床上に設置される。すなわち、遊技機島１の下方には、各遊技機３から排出された遊技媒体を回収する搬送路（図示せず）が設けられる。なお、遊技機島１は、図示した例には限られず、遊技機３の配置や台数、その他構成の配置などは、適宜変更することができる。
【００３８】
遊技機島１は、複数の遊技機３が背中合わせで２列に配設された島である。ここで、図３に示すように、遊技機島１の一方の側をＡ側、他方の側をＢ側とする。すなわち、遊技機島１は、複数の遊技機３が背中合わせで、Ａ側とＢ側の２列に配設される。
【００３９】
また、平面視において、Ａ側の隣接する遊技機３同士の間に、Ｂ側の遊技機３が位置し、Ｂ側の隣接する遊技機３同士の間に、Ａ側の遊技機３が位置するように各遊技機３が配設されている。すなわち、Ａ側の遊技機３とＢ側の遊技機３とが互いにずれて配置される。
【００４０】
なお、以下の説明では、遊技機３が２列対向するように背中合わせで配置されている例を示すが、本発明はこれに限られない。例えば、Ａ側にのみ遊技機３が設置され、Ｂ側には遊技機３が設置されず、Ｂ側は遊技場の壁面に接触するように設置される場合もある。
【００４１】
各遊技機３の下方には、足入れ空間７が形成される。例えば、Ａ側の遊技機３の下方には、Ａ側に開口する足入れ空間７が形成される。前述した椅子に着座した使用者の脚が、足入れ空間７に入る。足入れ空間７の詳細は後述する。
【００４２】
図４は、遊技機島１の縦方向の概略断面図であって、図２のＣ−Ｃ線断面図である。なお、以下の説明では、遊技機島１の遊技機３を含む上方を遊技機島上部構造６とし、遊技機３よりも下方を遊技機島下部構造５とする。
【００４３】
遊技機島下部構造５は、主に、脚部２７、支持部１３、梁部１７、板部材２３、遊技機設置部１５等から構成される。遊技機３の前方側の脚部２７の上方には、支持部１３が設けられる。前述したように、遊技機３の下方には、足入れ空間７が形成される。
【００４４】
足入れ空間７は、棒状の複数の脚部２７、板部材２３等からなる。足入れ空間７は、遊技者の足を入れる部位である。隣り合う足入れ空間７は、複数の脚部２７によって区切られる。
【００４５】
脚部２７の上方には、支持部１３が接合される。支持部１３は、板状の部材であり、足入れ空間７の足入れ側とは逆側の上部に略水平に配置される。また、支持部１３上には、隣り合う支持部１３同士をつなぐ梁部１７が接合される。さらに、遊技機島１のＡ、Ｂ側それぞれの梁部１７同士が、足入れ空間７の上部を塞ぐ板部材２３で互いに接合される。
【００４６】
また、梁部１７の上部には、遊技機設置部１５が固定される。遊技機設置部１５は、遊技機３が設置される部位であり、支持部１３とほぼ平行に配置される。したがって、支持部１３と遊技機設置部１５との間には、当該支持部１３が設置される側に開口する隙間２５が形成される。すなわち、足入れ側とは逆側の足入れ空間７の上部には、隙間２５が形成される。
【００４７】
隙間２５は、吸い殻などの回収部や小物置きなどとして利用可能である。この際、遊技機３の前面から当該隙間がはみ出すことがなく、遊技機島１の設置スペースが大きくなることを抑制することができる。なお、図示を省略したテーブルを遊技機設置部１５の前面に固定することで、遊技媒体を貯留するための箱などを置くことができる。なお、隙間２５を形成せずに、脚部２７の上部を直接遊技機設置部１５に接合してもよい。
【００４８】
正面視において、支持部１３は、遊技機３の両側に配置される。図２に示すように、遊技機３の下方は、足入れ空間７の足入れ部となり、例えばＡ側の遊技機３の両側であってＢ側の遊技機３に対向する部位に支持部１３が配置される。したがって、前述したテーブルの下部は、足入れ空間７の開口部となり、テーブルの両サイド（Ｂ側の遊技機３の対向部）に、当該隙間２５が形成される。
【００４９】
ここで、複数の脚部２７は、隣り合う足入れ空間７同士を区切るのみではなく、遊技機島上部構造６を支持するための支持構造を構成する。したがって、脚部２７はある程度の剛性が必要である。また、脚部２７の下部は、床２上に固定するための固定部１９となる。固定部１９は、遊技機島１の水平を出すための水平調整機構を具備する。例えば、固定部１９を２重構造とし各部材同士の間隙をボルト等によって調整可能としてもよい。
【００５０】
次に、足入れ空間７の詳細について説明する。図５は遊技機島１の底面図であり、図６は脚部２７の上端部近傍における断面図である。前述したように、遊技機島１は、Ａ側とＢ側の両側に背中合わせで２列に遊技機３が配置される。この際、Ａ側とＢ側とで、遊技機３の設置位置が半ピッチずれており、遊技機島１の一方の側の隣接する遊技機３同士の間に、他方の側の遊技機３が位置する。
【００５１】
足入れ空間７は、それぞれの遊技機３の下部において遊技機３側が足入れ側となる。すなわち、足入れ空間７は、遊技機３の下方であって、遊技機島１のＡ側からＢ側までの間に形成される。したがって、遊技者は、遊技機３の前面側から遊技機島１の他方の側まで延びる足入れ空間に足を入れることができる。このため、遊技者は足を延ばして足入れ空間７に足を入れることができる。
【００５２】
ここで、複数の脚部２７は、最下端（固定部１９）においては、遊技機３の併設方向にほぼ垂直に配列される。一方、脚部２７の上端部近傍は、足入れ側が開くようなハの字状に配列される。すなわち、脚部２７は、遊技機３の併設方向に対して、所定の角度に配列される。したがって、足入れ空間７の区切り部は、床２に対して、床面に対する角度が互いに異なる複数の脚部２７によって形成される。
【００５３】
このように、足入れ空間７は、開口部側が広く、奥に行くにつれて徐々に幅が狭くなるように形成される。また、前述したように、足入れ空間７の最深部の上部には、隙間２５が形成されるため、最深部のみ高さがやや低くなる。しかし、足入れ空間７の奥側は、膝などが入らず、足の先端が入るのみであるため、空間としては十分である。一方、開口部側は、遊技者の膝回りが挿入されるため、開口部側を広くすることで、十分な足入れ空間７を形成することができる。
【００５４】
次に、遊技機島下部構造５の詳細について説明する。図７は、脚部２７と支持部１３のみを組み立てた状態を示す図である。前述したように、複数の脚部２７は、平面視において奥側に徐々に狭くなる形状（本実施例では略台形）の足入れ空間７が遊技機島１の両側に交互に向くように配置される。
【００５５】
支持部１３は、足入れ空間７の台形状の狭い側の上部に固定される。すなわち、足入れ空間７の台形状の狭い側の上部を塞ぐように支持部１３が固定される。したがって、支持部１３は、遊技機島１の両側に対して互いにずれた位置に配置される。
【００５６】
図８は、図７に対して柱２１および梁部１７を組み立てた状態を示す図である。柱２１は、遊技機島上部構造６を支持するための部材である。柱２１の下端近傍は、支持部１３に固定される。柱２１の上部には、前述した遊技機３の上部に配置される搬送路等が配置される。前述したように、支持部１３は、遊技機島１の両側に対して互いにずれた位置に配置される。したがって、柱２１も遊技機島１の両側に対して互いにずれた位置に配置される。
【００５７】
また、支持部１３上には板状の梁部１７が固定される。梁部１７は、隣り合う支持部１３同士にまたがるように配置される。したがって、梁部１７によって、隣り合う支持部１３同士が接合される。ここで、支持部１３は、ほぼ水平に設置される。したがって、支持部１３上に梁部１７を容易に固定することができる。
【００５８】
梁部１７は、遊技機島１のそれぞれの側の支持部１３を連結する。すなわち、梁部１７は、遊技機島１の両側に一対配置される。梁部１７の上部は、略水平に形成される。また、梁部１７の下部であって、支持部１３との接合部以外の部位には切り欠き１８が形成される。したがって、足入れ空間７の開口部を広げて、足入れスペースを確保することができる。
【００５９】
図９は、図８に対して板部材２３と遊技機設置部１５を配置した状態を示す図である。なお、図９においては、柱２１の図示を省略するが、柱２１は、板部材２３を貫通する。
【００６０】
それぞれの梁部１７の上には、遊技機設置部１５がそれぞれ固定される。遊技機設置部１５は、遊技機３が設置される部位である。遊技機設置部１５は、梁部１７から前面に張り出すように、支持部１３とほぼ平行に、支持部１３と対向するように配置される。したがって、前述したように支持部１３と遊技機設置部１５との間には隙間２５が形成される。
【００６１】
板部材２３は、前述した一対の梁部１７を接合するとともに、足入れ空間７の上部を塞ぐ。また、梁部１７は、上部の遊技機３等を支持する。したがって、梁部１７には上方から大きな力が付与される。したがって、梁部１７が倒れるように変形する恐れがある。これに対し、それぞれの梁部１７を板部材２３で連結することで、梁部１７の倒れこみを防止することができる。
【００６２】
以上説明したように、本実施形態によれば、足入れ空間７が、遊技機島１の一方の側から他方の側まで形成され、遊技機島１の中央部を仕切る仕切り部がない。このため、遊技者は足を伸ばすことができる。この際、遊技機島１の設置スペースを大きくする必要がない。
【００６３】
また、複数の脚部２７によって遊技機島上部構造６を支持し、足入れ空間７は、脚部２７の床面に対する角度を変えることで形成することができる。このため、足入れ空間７の設計が容易である。すなわち、複数の脚部２７を用いることで、設計の自由度が高い遊技機島下部構造５を得ることができる。
【００６４】
また、足入れ空間７の最深部上方に配置される支持部と、遊技機設置部１５との間に隙間２５を形成することで、タバコの吸い殻の回収部等を形成することができる。この際、隙間２５は、遊技機３の下部に隠れる位置に形成されるため、スペース効率が良い。
【００６５】
また、遊技機３の配置が、遊技機島１の両側でずれた位置に配置されるため、支持部１３と柱２１が遊技機島１の両側でずれた位置に配置される。このため、遊技機島上部構造６を効率よく支持することができる。
【００６６】
また、支持部１３上に固定される梁部１７が、板部材２３によって連結されるため、梁部１７の倒れこみを防止することができる。また、板部材２３によって足入れ空間７の上方を塞ぐことができる。
【００６７】
次に、第２の実施形態について説明する。図１０は、第２の実施形態の遊技機島１ａを示す図であり、仕切り板９の一部を透視した図である。なお、以下の説明において、第１の実施形態に係る遊技機島１と同一の機能を奏する構成については、図１〜図９と同一の符号を付し、重複する説明を省略する。
【００６８】
遊技機島１ａは遊技機島１とほぼ同様であるが、遊技機島下部構造５ａが異なる。遊技機島下部構造５ａは、主に、脚部２７、仕切り板９、端面板１１、支持部１３、梁部１７、板部材２３、遊技機設置部１５等から構成される。
【００６９】
足入れ空間７は、脚部２７、仕切り板９、端面板１１、板部材２３等からなる。脚部２７には、仕切り板９が固定される。すなわち、仕切り板９は、脚部２７を覆うように配置される。隣り合う足入れ空間７は、仕切り板９によって仕切られる。また、足入れ空間７の開口側と反対側には、端面板１１が設けられ、足入れ空間７が塞がれる。なお、端面板１１は、遊技機３の前面とほぼ同一面の位置に形成される。
【００７０】
なお、仕切り板９は脚部２７の両側に固定され、脚部２７が仕切り板９によって挟み込まれることが望ましい。このようにすることで、脚部２７が隣り合う何れの足入れ空間７にも露出せず、足入れ空間７の内面を平滑にすることができる。
【００７１】
ここで、仕切り板９は、最下端（固定部１９）においては、隣り合う仕切り板９同士が略平行に、かつ、遊技機３の併設方向にほぼ垂直に形成される。一方、仕切り板９の上端部近傍は、開口部側が開くようなハの字状に形成される。すなわち、遊技機３の併設方向に対して、所定の角度に形成される。したがって、仕切り板９は、脚部２７を覆うように配置され、各々の脚部２７の角度に合わせるように下端から上端に向けて徐々に面方向が変化する曲面で構成される。なお、仕切り板９が所望の曲面になるように脚部２７の取り付ける角度を設定しても良い。
【００７２】
ここで、仕切り板９は、隣り合う足入れ空間７同士を仕切るのみであり、遊技機島上部構造６の支持は、脚部２７が負担する。したがって、仕切り板９には、必要以上の剛性が不要である。このため、薄い板状の部材によって仕切り板９を構成することができる。このように、仕切り板９を薄い板状部材で構成することができるため、曲面からなる仕切り板９の設計や製造が容易である。また、仕切り板９が損傷した場合には、当該仕切り板９のみを容易に交換することができる。
【００７３】
足入れ空間７は、それぞれの遊技機３の下部において遊技機３側に開口し、他方の側は端面板１１で塞がれる。また、足入れ空間７同士が仕切り板９で仕切られる。このため、隣り合う足入れ空間７内の足が触れ合うことがない。また、足入れ空間７の最深部は端面板１１で塞がれるため、遊技機島１ａの反対側の遊技者の足が、前面側に露出することがない。
【００７４】
次に、遊技機島下部構造５ａの詳細について説明する。図１１は、脚部２７、仕切り板９、端面板１１、支持部１３のみを組み立てた状態を示す図（一部の仕切り板９を透視した図）である。なお、以下の図においては、仕切り板９が脚部２７の表裏に配置された２重構造である例を示すが、一方のみの側に配置してもよい。
【００７５】
前述したように、仕切り板９は、平面視において奥側に徐々に狭くなる形状（本実施例では略台形）の足入れ空間７が遊技機島１ａの両側に交互に開口するように配置される。また、足入れ空間７は、台形状の広い側が開口部となり、狭い側が端面板１１で塞がれる。
【００７６】
図１２は、脚部２７を挟み込む一対の仕切り板９に対し、一方の仕切り板９を外した状態を示す正面図である。仕切り板９の内部には、脚部２７が配置される。また、仕切り板９の内部には、上方（遊技機３）から下方（床下）まで貫通する管体３１が配置される。すなわち、仕切り板９の内面には脚部２７および管体３１を保持する保持部がリブによって形成される。
【００７７】
管体３１は、例えば蛇腹管である。管体３１によって、遊技機３からの遊技媒体を床下に流すことができる。例えば、遊技機３で排出された遊技媒体は、管体３１を介して床下に送られる。床下では、遊技媒体の搬送装置が設置され、遊技媒体が所定の場所に集められる。
【００７８】
なお、この場合には板部材２３に穴２９（図９）を設けることで、管体３１を遊技機島上部構造６から床下まで配設することができる。
【００７９】
以上説明したように、第２の実施形態によれば、第１の実施形態と同様の効果を得ることができる。また、隣り合う足入れ空間７が仕切り板９で仕切られるため、遊技者の脚が触れ合うことがない。この際、仕切り板９は、遊技機島上部構造６を支持するための剛性が不要であるため、設計および製造が容易であり、軽量な部材を適用することができる。
【００８０】
また、仕切り板９の内部に管体３１を配置することで、遊技媒体を床下に流すことができる。この際、管体３１が足入れ空間７に露出しないため、足入れの邪魔になることがない。
【００８１】
次に、第３の実施形態について説明する。図１３は、机４０を示す斜視図である。なお、以下の説明において、第１、第２の実施形態と同一の機能を奏する構成については、図１〜図１２と同一の符号を付し、重複する説明を省略する。
【００８２】
机４０は、机下部構造４１と、仕切り板４７等から構成される。机下部構造４１は、前述した遊技機島下部構造５ａとほぼ同様であるが、遊技機設置部１５に代えて天板４３が設けられる点で異なる。すなわち、机下部構造４１は、主に、脚部２７、支持部１３、梁部１７、板部材２３、天板４３等から構成される。
【００８３】
なお、机下部構造４１では、足入れ空間７が、脚部２７、仕切り板９、端面板１１等からなる例を示すが、仕切り板９はなくてもよい。すなわち、遊技機島下部構造５、５ａと同様に、机下部構造４１の足入れ空間７は、少なくとも棒状の複数の脚部２７によって区切られればよい。以下、脚部２７を挟み込んでそれぞれの脚部２７を覆うように、一対の仕切り板９を設けた例について説明する。
【００８４】
机４０は、その両側にそれぞれ複数の着座席４５が設けられる。すなわち、着座席４５が、背中合わせで２列に配置される。したがって、利用者は、机４０の両側にそれぞれ並んで座ることができる。
【００８５】
また、机４０の一方の側の隣接する着座席４５同士の間に、机４０の他方の側の着座席４５が位置する。すなわち、平面視において、一方の側の隣接する着座席同士の間に、他方の側の着座席が位置し、それぞれの側の着座席４５が互いにずれて配置される。
【００８６】
天板４３の下方には、机４０の一方の側から机４０の他方の側まで延びる足入れ空間７が、机４０の両側の着座席４５にそれぞれ形成される。足入れ空間７は、それぞれの着座席４５において利用者側に開口し、他方の側は端面板１１で塞がれる。すなわち、前述したように、足入れ空間７は、台形状の広い側が開口部となり、狭い側が端面板１１で塞がれる。
【００８７】
また、足入れ空間７同士が仕切り板９で仕切られる。このため、隣り合う足入れ空間７内の足が触れ合うことがない。また、足入れ空間７の最深部は端面板１１で塞がれるため、机４０の反対側の利用者の足が、前面側に露出することがない。
【００８８】
また、仕切り板９によって脚部２７を挟み込むことで、仕切り板９同士の間のスペースを利用することもできる。例えば、電源ケーブルやネットワークケーブルを天板４３の上方から床下まで足入れ空間７に露出させずに配設することができる。
【００８９】
前述した様に、脚部２７の上方には、支持部１３が接合される。また、支持部１３上には、隣り合う支持部１３同士をつなぐ梁部１７が接合される。さらに、机４０の両側それぞれの梁部１７同士が、足入れ空間７の上部を塞ぐ板部材２３（図示省略）で互いに接合される。
【００９０】
また、梁部１７の上部には、天板４３が固定される。天板４３は、支持部１３とほぼ平行に机下部構造４１の全体を覆うように配置される。したがって、支持部１３と天板４３との間には、当該支持部１３が設置される側に開口する隙間２５が形成される。
【００９１】
なお、図示したように、各着座席４５において、天板４３の側面を利用者側に突出させてもよい。また、隙間２５を形成せずに、脚部２７の上部を直接天板４３に接合してもよい。
【００９２】
天板４３の上部には、必要に応じて仕切り板４７が設けられる。仕切り板４７は、隣り合う着座席４５同士および対向するそれぞれの着座席４５同士を仕切るものである。このようにすることで、利用者は、互いの視線を感じることなく、仕切り板４７で仕切られた空間をプライベート空間として利用することができる。
【００９３】
なお、図示した例では、仕切り板４７は、それぞれの着座席４５に開口し、机４０の両側にわたって、奥行き方向に幅が狭くなるように形成される。すなわち、平面視における仕切り板４７の形態は、足入れ空間７の形態（図６参照）と近似し、内部構造も他の実施例の脚部２７に相当する棒状の部材が配置され、天板４３に対して垂直に起立する。このようにすることで、机上の空間に対しても、机４０の一方の側から机４０の他方の側まで延びる十分な奥行きを確保することができる。
【００９４】
なお、仕切り板４７は、図示した形態には限られない。例えば、天板４３の上部に、天板４３の一方の側と他方の側との間の略中央を仕切る中央仕切りと、それぞれの側において、隣り合う使用者同士を仕切る側方仕切りを設けてもよい。この場合でも、足入れ空間は、一方の側から他方の側まで形成されるため、足元に広い空間を形成可能であるとともに、利用者の脚が触れ合うことがなく、スペース効率が高い。
【００９５】
以上説明したように、第３の実施形態によれば、遊技機島に限られず、一般的な机４０に対しても、第１の実施形態と同様の効果を得ることができる。
【００９６】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００９７】
例えば、端面板１１は、足入れ空間７の最深部を全て覆う必要は無く、一部だけを覆い、覆われていない部分は通風が可能となり、足入れ空間の過度な温度や湿度の上昇を防止できるようにしても良い。更に、端面板１１を省略することを妨げない。
【００９８】
また、遊技機島を、各遊技機ごとに下部構造および上部構造をユニット化して、ユニット化された下部構造および上部構造を組み立てることで、自由に遊技機の配置数を増減することもできる。同様に、机の着座席ごとにユニット化してもよい。
【符号の説明】
【００９９】
１………遊技機島
２………床
３………遊技機
５………遊技機島下部構造
６………遊技機島上部構造
７………足入れ空間
９………仕切り板
１１………端面板
１３………支持部
１５………遊技機設置部
１７………梁部
１８………切欠き
１９………固定部
２１………柱
２３………板部材
２５………隙間
２７………脚部
２９………穴
３１………管体
【図１】
0006605320.tif 000002
【図２】
0006605320.tif 000003
【図３】
0006605320.tif 000004
【図４】
0006605320.tif 000005
【図５】
0006605320.tif 000006
【図６】
0006605320.tif 000007
【図７】
0006605320.tif 000008
【図８】
0006605320.tif 000009
【図９】
0006605320.tif 000010
【図１０】
0006605320.tif 000011
【図１１】
0006605320.tif 000012
【図１２】
0006605320.tif 000013
【図１３】
0006605320.tif 000014